(57)【特許請求の範囲】
【請求項１】
閉鎖時に本体部側の係止片と係合する爪部を備え、蓋体に摺動可能に配置されているスライド板と、
前記蓋体に軸支されているレバーと、
前記スライド板と前記レバーの間に張架され、前記スライド板を付勢しているバネ材とを備え、
前記蓋体が閉鎖されたときに、
前記スライド板が前記バネ材に抗して移動し、前記爪部が本体部の係止片と係合すると共に、この係合状態で前記レバーの一部が前記本体部側の一部に衝合することにより、前記バネ材を介して前記スライド板が閉鎖位置に付勢されるように構成されると共に、
前記蓋体が開放されたときに、
前記レバーの係合部と前記スライド板とが係合して、前記スライド板が待機位置にホールドされるように構成されることを特徴とする蓋の開閉装置。
【請求項２】
上記スライド板は、前記蓋体に設けられているイジェクト操作子によって摺動するように構成し、前記爪部と上記係止片との係合が解除されるように構成されていることを特徴とする請求項１に記載の蓋の開閉装置。
【請求項３】
上記蓋体はビデオカメラのカセットを収納する空間を開閉することを特徴とする請求項１に記載の蓋の開閉装置。
【請求項４】
カセットを収納する空間を開閉するための蓋の開閉装置を備えるビデオカメラにおいて、
前記開閉装置は、
閉鎖時に本体部側の係止片と係合する爪部を備え、蓋体に摺動可能に配置されているスライド板と、
前記蓋体に軸支されているレバーと、
前記スライド板と前記レバーの間に張架され、前記スライド板を付勢しているバネ材とを具備し、
前記蓋体が閉鎖されたときに、
前記スライド板が前記バネ材に抗して移動し、前記爪部が本体部の係止片と係合すると共に、この係合状態で前記レバーの一部が前記本体部側の一部に衝合することにより、前記バネ材を介して前記スライド板が閉鎖位置に付勢されるように構成されると共に、
前記蓋体が開放されたときに、
前記レバーの係合部と前記スライド板とが係合して、前記スライド板が待機位置にホールドされるように構成されることを特徴とするビデオカメラ。
【発明の詳細な説明】
【０００１】
【発明の属する技術分野】
本発明は蓋体の開閉装置に係わり、特に小型のビデオカメラにカセットを収納するカセット蓋に適応して有用な蓋の開閉装置に関するものである。
【０００２】
【従来の技術】
図４（ａ）は携帯型のビデオカメラの概要を斜視図で示したもので、１はカメラ本体、２はカメラ本体１内に撮影用のカセットを収納する蓋部である。
３は撮影レンズ部であり、４はビューファインダを示している。
この蓋部２は同図（ｂ）に示すように開くことによって、カセットＣを矢印方向から本体１内部に装着すると共に、蓋部２を同図（ｃ）に示すように閉鎖すると撮影状態に移行することができるように構成されている。
【０００３】
このような携帯型のビデオカメラはできるだけ軽量、かつ小型にすることが要請され、この従来例の場合は蓋体２に対して各種の操作ボタン５等が取り付けられている。なお、６はイジェクト操作子を示している。
通常、蓋体の係合状態では例えば図５の一部破断した斜視図に示すように、本体１側に係止部が装着されており、この係止部には係止片１ａ，１ａが設けられている。そして、蓋部２にはこの係止片１ａに対して係合するよう突出した爪部２ａが設けられている。
そして、閉鎖状態で係止片１ａは矢印方向に図示しない機構によって移動し、爪部２ａが係止片１ａに係合した状態では容易に蓋部が開かないようにロックできるようにしている。
【０００４】
【発明が解決しようとする課題】
しかしながら、係止片１ａの高さＨを大きくすると蓋部２が回動して閉鎖状態になるために、突出している爪部２ａが移動して係止片１ａの係止部に突入する際の円方向の径が大きくなるので、ビデオカセットの厚みが大きくなるという問題が生じる。
また、係止片の高さＨを低いものにすると係止片が矢印方向に移動するときに、その端部が爪部と衝突してロックがかからない場合が生じ、そのために蓋部と本体部の係合動作が円滑に行われない場合が生じるという問題があった。
さらに、このような装置では小型化と蓋の係合状態を確実にするために多くの部品が必要になるという問題があった。
【０００５】
【課題を解決するための手段】
本発明はこのような問題点を軽減するためになされたものであって、
閉鎖時に本体部側の係止片と係合する爪部を備え、蓋体に摺動可能に配置されているスライド板と、前記蓋体に軸支されているレバーと、前記スライド板と前記レバーの間に張架され、前記スライド板を付勢しているコイルバネとを備え、前記蓋体が閉鎖されたときに、前記スライド板が前記コイルバネに抗して移動し、前記爪部が前記本体部の係止片と係合すると共に、この係合状態で前記レバーの一部が前記本体部側の一部によって押し圧されることにより、前記スライド板が閉鎖位置に付勢されるように構成したものである。
【０００６】
また、上記スライド板は、前記蓋体に設けられているイジェクト操作止によって摺動するように構成し、前記爪部と上記係止片との係合が容易に解除されるように構成されている。
【０００７】
【発明の実施の形態】
図１は本発明の蓋の開閉装置の係合部の詳細を示したもので、１０は蓋に取り付けられる蓋部シャーシ部である。
この蓋部シャーシ１０はその上下方向にネジ１１が取り付けられ、図示されていない本体に対して回動可能に軸支されている。
１２ａ、１２ｂは蓋体を取り付ける折り曲げ固定部、１３ａ、１３ｂはこの蓋部シャーシ１０に固着され、スライド板３０を摺動可能に案内する案内ボスである。
１４は蓋部シャーシ１０にレバー４０を取り付ける突出部でその中央付近にレバー４０を回動可能に取り付ける軸１５が植え込まれている。
【０００８】
スライド板３０には前記案内ボス１３ａ、１３ｂに遊嵌するような長孔３１ａ、３１ｂがあけられており、その左側縁には蓋をロックするための爪３２ａ、３２ｂが突出している。
また、右側縁には二股状の脚３３が形成され、この脚３３の間に蓋部に取り付けられるイジェクト操作子５０が遊嵌されるようにしている。
３４はコイルバネ４３が配置される開口部であって、開口部３４内に突出している舌片３４ａと、レバー４０の端部に設けられている舌片４１の間にコイルバネ４３が圧縮されて張架されている。
なお、３５はレバー４０の他端に形成されている突起４２と衝合するストッパとなっている。
【０００９】
レバー４０は前記軸１５によって回動可能に蓋部シャーシ１０に取り付けられており、舌片４１と、突起４２と押圧部４４が形成されている。
そして前記したコイルバネ４３によって時計方向に付勢されている。
【００１０】
図２は上記した蓋部シャーシ１０側に設けた爪３２（ａ，ｂ）が、本体側に設けられている本体係止シャーシ２０との係止部２１（ａ，ｂ）と係合した状態を示しており、本体係止シャーシ２０はビデオカメラ本体を形成するシャーシによって構成することもできる。
この本体係止シャーシ２０は上下方向に上記爪３２ａ、３２ｂと係合する係止部２１ａ、２１ｂが折り曲げ加工等によって形成されており、その中間部に前記押圧部４４が衝突する衝合片２２が設けられている。
なお、他の部分の符号は図１の符号と対応しているのでその説明を省略する。
【００１１】
本発明の蓋の開閉装置は上記したような各種のアセンブリによって、以下のように蓋を閉めたときにロックされ、その状態を維持することができる。
まず、図１において蓋部２を閉めることにより蓋部シャーシ１０が左方向に移動すると、図３に示すようにスライド板３０の爪３２ａ、３２ｂの部分が本体係止シャーシ２０の係止部２１ａ、２１ｂに当接すると共に、レバー４０の押圧部４４が衝合片２２に当接する。
【００１２】
そして、ほぼ同時に、スライド板３０は爪３２ａ、３２ｂのテーパ部によって下方にスライドし、このスライドは案内ボス１３ａ、１３ｂと、長孔３１、３１ｂによって案内される。
また、レバー４０は軸１５を中心として反時計方向に回動することにより、コイルバネ４３が圧縮されエネルギーが蓄積される。
そして、この状態からさらに蓋が閉鎖される方向に押されると、さらにスライド板３０は下方に移動し、爪３２（ａ，ｂ）が係止片１２（ａ，ｂ）を乗り越えると、図２に示したように爪３２ａ．３２ｂが係止部２１ａ、２１ｂによって完全に係止された状態になる。
【００１３】
そしてこの状態では、レバー４０の舌片４１がコイルバネ４３を上方に押し上げた状態になっているので、コイルバネ４３の圧縮力が十分に維持されていることになり、このバネの伸張力によって、スライド板３０の係合状態を十分なものにすることができる。
【００１４】
蓋を開放するときは、図示されていない操作子５０に連動するイジェクトボタンを下方に押し下げ、操作子５０を下方に移動すると、コイルバネ４３に抗して脚３３、すなわちスライド板３０が下方に移動し、爪３２ａ、３２ｂが係止部２１ａ、２１ｂから離脱することによって係合状態が解除され、次にコイルバネ４３の伸張力によって衝合部２２と接触していた押圧部４４が押し出されるように働き、蓋部シャーシ１０が本体係止シャーシ２０から離れる方向に付勢するので、イジェクトボタンを押すだけで簡単に蓋を開く方向に付勢することができる。
また、蓋の解放後はコイルバネ４３によってレバー４０が反時計方向に付勢され、その突起４２とストッパ３５の係合によってスライド板３０が待機位置（図１）にホールドされる。
【００１５】
【発明の効果】
以上説明したように、本発明の蓋の開閉装置は、閉鎖時に本体側の係止片と係合する爪部を備え、蓋体に摺動可能に配置されているスライド板と、前記蓋体に軸支されているレバーと、前記スライド板と前記レバーの間に張架され、前記レバーを付勢しているコイルバネとを備えているので、係止部の高さを低くして本体装置を小型化にしたときでも確実な係合状態を得られ、イジェクト操作も容易にできる。
【００１６】
さらに、蓋を閉めていく場合にその操作に応じて衝合片２２が押圧部４４を押し始めるので、ロックされる直前でコイルバネに十分な力が蓄えられ、そこから係合動作が始まるのでより確実なロック作用が生じる。
さらに、ロック時のスライド板の動き、レバーによるストッパの動作、蓋の押し開け時の動き等、少なくとも３通りの動作に関連するバネ部材を単品で供給することができ、部品点数を少なくすると共に、組立作業を容易にするという利点がある。
【図面の簡単な説明】
【図１】本発明の蓋の係合機構の側面図を示す図である。
【図２】本体と蓋が閉鎖されたときの係合位置を示す図である。
【図３】本体と蓋が係合される直前の様子を説明する図である。
【図４】本発明の蓋が適応できるカメラの説明斜視図である。
【図５】カメラに適応された蓋体の係合を説明する図である。
【符号の説明】
１０  蓋部シャーシ、１３ａ  案内ボス、２０  本体係止シャーシ、
２１ａ、２１ｂ  係止部、２２  ストッパ、３０  スライド板、３２ａ、３２ｂ爪、３４  コイルバネ、４０  レバー、４２  突起、４４  押圧部
【図１】
0004061725.tif 000002
【図２】
0004061725.tif 000003
【図３】
0004061725.tif 000004
【図４】
0004061725.tif 000005
【図５】
0004061725.tif 000006